(57)【要約】【課題】人を避難誘導する点灯制御システムにおいて、的確に人を避難誘導すると共に、省エネ化を図る。【解決手段】点灯制御システム１は、複数の発光ダイオードユニット２と、明るさセンサ３と、発光ダイオードユニット２を点灯制御する制御装置４と、を備える。制御装置４は、明るさセンサ３の検知信号に応じて送り点灯及び低出力点灯の出力を制御し、誘導路周囲の明るさが暗いときに低出力点灯を行うと共に送り点灯の出力を小さくする。また、制御装置４は、明るいときに低出力点灯を行わなず、送り点灯の出力を大きくする。これにより、人Ｍを所定の避難方向へ的確に誘導することができると共に、省エネ化が可能となる。【選択図】図１
2008158755.tif 000002
【特許請求の範囲】
【請求項１】
人を避難誘導するための誘導路に配設された複数の発光ダイオードを時系列に順次点灯させる送り点灯及び前記送り点灯よりも暗い明るさで前記発光ダイオードを点灯させる低出力点灯を行う点灯制御システムであって、
誘導路周辺の明るさを検知する明るさセンサと、前記明るさセンサの検知信号を受けて前記発光ダイオードを点灯制御する制御装置と、を備え、
前記制御装置は、前記明るさセンサの検知信号に応じて前記送り点灯及び低出力点灯の出力を制御することを特徴とする点灯制御システム。
【請求項２】
前記制御装置は、前記送り点灯の出力と前記低出力点灯の出力との比を一定としたまま、前記各出力を増減させることを特徴とする請求項１に記載の点灯制御システム。
【請求項３】
前記制御装置は、前記明るさセンサによって所定の明るさが検知されたとき、前記送り点灯を行う発光ダイオードの個数を増加させることを特徴とする請求項１又は請求項２に記載の点灯制御システム。
【発明の詳細な説明】
【技術分野】
【０００１】
本発明は、複数の発光ダイオードを時系列に順次点灯させ、点灯順序の方向に人を誘導する点灯制御システムに関する。
【背景技術】
【０００２】
従来から、例えば、特許文献１及び特許文献２に示されるように、複数の発光素子等を点灯させて人を誘導する避難誘導システムが知られている。この種の避難誘導システムを図１２に示す。避難誘導システム１０１は、主制御装置１０４の制御の下、誘導路等の床面に所定間隔で設置された複数の発光ダイオード１０２を時系列に順次点灯させて（以下、送り点灯）、擬似的に光が流れるように見せる。これにより、緊急時等に人Ｍを破線矢印で示すような所定の避難方向へ誘導する。
【特許文献１】特開平３−２２６９００号公報
【特許文献２】特開平６−２８５８３号公報
【発明の開示】
【発明が解決しようとする課題】
【０００３】
しかしながら、上記の特許文献１及び特許文献２に記載の避難誘導システムでは、発光ダイオードは、一度送り点灯した後、再び送り点灯するまでの間、消灯してしまう。従って、誘導路が真っ暗なときには、避難しようとする人Ｍは、誘導先にある発光ダイオードが点灯するまで、避難経路を視認することができず、避難誘導システムによって誘導される避難方向を予測することができなかった。
【０００４】
この問題を解決するには、避難誘導システムの作動時において誘導路に設置された発光ダイオードが常時ほんのりと点灯すれば、避難しようとする人Ｍは、避難経路の概要が分かるので、発光ダイオードの送り点灯によって示される避難方向をある程度予測することができる。しかし、昼間等のように、誘導路周囲が明るいときには、避難経路の見通しは良いので、上記のように発光ダイオードをほんのり点灯させる必要はない。また、誘導路周囲が明るいときに発光ダイオードをほんのり点灯させても、人Ｍはその点灯をほとんど視認することができないので、不要な電力を消費してしまう。特に、地震や火災といった緊急時に作動する避難誘導システムでは、電池駆動や非常電源駆動等が用いられることもあるので、効果的に人を所定の避難方向へ誘導することができるだけでなく、省電力化されることが望ましい。
【０００５】
本発明は、上記課題を解決するものであり、誘導路周辺の明るさに応じて発光ダイオードの点灯を制御して、避難者に対して避難経路の概要を視認させ、的確に避難方向へ誘導すると共に、省エネ化を実現することができる点灯制御システムを提供することを目的とする。
【課題を解決するための手段】
【０００６】
上記課題を解決するために、請求項１に記載された発明は、人を避難誘導するための誘導路に配設された複数の発光ダイオードを時系列に順次点灯させる送り点灯及び前記送り点灯よりも暗い明るさで前記発光ダイオードを点灯させる低出力点灯を行う点灯制御システムであって、誘導路周辺の明るさを検知する明るさセンサと、前記明るさセンサの検知信号を受けて前記発光ダイオードを点灯制御する制御装置と、を備え、前記制御装置は、前記明るさセンサの検知信号に応じて前記送り点灯及び低出力点灯の出力を制御するものである。
【０００７】
請求項２の発明は、請求項１に記載の点灯制御システムにおいて、前記制御装置が、前記送り点灯の出力と前記低出力点灯の出力との比を一定としたまま、前記各出力を増減させるものである。
【０００８】
請求項３の発明は、請求項１又は請求項２に記載の点灯制御システムにおいて、前記制御装置が、前記明るさセンサによって所定の明るさが検知されたとき、前記送り点灯を行う発光ダイオードの個数を増加させるものである。
【発明の効果】
【０００９】
請求項１の発明によれば、制御装置が明るさセンサの検知信号に応じて発光ダイオードに対する送り点灯の出力及び低出力点灯の出力を制御して、例えば、誘導路周囲の明るさが暗いときに低出力点灯を行うと共に送り点灯の出力を小さくする。また、制御装置は、明るいときに低出力点灯を行わなず、送り点灯の出力を大きくする。これにより、避難する人を所定の避難方向へ的確に誘導することができると共に、省エネ化が可能となる。
【００１０】
請求項２の発明によれば、送り点灯の出力と低出力点灯の出力との比が一定となるので、例えば、明るさセンサから送信された検知信号を基準として、送り点灯の出力を検知信号の出力値の２０倍とし、低出力点灯の出力を同じく１０倍とするといった出力設定が可能となり、上記の各出力を個別に設定するよりも簡単に出力設定を行うことができる。
【００１１】
請求項３の発明によれば、送り点灯をする発光ダイオードの個数が増加するので、避難時の誘導灯としての視認性が向上する。
【発明を実施するための最良の形態】
【００１２】
本発明の第１の実施形態に係る点灯制御システムについて、図１及び図２を参照して説明する。本実施形態の点灯制御システム１は、複数の発光ダイオードユニット２（２Ａ，２Ｂ，・・・）と、誘導路周辺の明るさを検知する明るさセンサ３と、明るさセンサ３の検知信号を受けて発光ダイオードユニット２を点灯制御する制御装置４と、を備える。
【００１３】
発光ダイオードユニット２は、発光ダイオード（ＬＥＤ）２０が組み込まれており、破線矢印で示すように、避難用の誘導路に沿って、その床面に埋没するように所定間隔で配置され、夫々が信号線５を介して制御装置４に、電線６を介して電源７に接続される。発光ダイオードユニット２の設置個数は誘導路の長さや範囲に応じて適宜に決定される。明るさセンサ３は、誘導路周辺に設置され、信号線８を介して制御装置４に接続される。また、明るさセンサ３及び制御装置４は独自の電源を有する又は外部の電源（図示せず）に接続される。
【００１４】
発光ダイオードユニット２は、発光ダイオード２０と電気的に接続されたスイッチング素子２１を有し、このスイッチング素子２１が信号線５を介して制御装置４に接続される。スイッチング素子２１は、制御装置４からの信号を受信すると共に、受信信号の情報に基づいて発光ダイオード２０に対する給電のオンオフを行う。なお、制御装置４の制御を受けて点灯するのは発光ダイオード２０であるが、以下の説明においては、便宜上、発光ダイオードユニット２が点灯するとものとして記載する。
【００１５】
点灯制御システム１において、制御装置４は、警報装置等（図示せず）から所定の警報信号等を受信すると、図１の白抜き矢印に示されるように、誘導路に配設された発光ダイオードユニット２を時系列に順次点灯させる。これにより、避難しようとしている人Ｍに対して、発光ダイオードユニット２の点灯順序に応じた方向に、あたかも光が走行しているように視認させることで、人Ｍを所定の避難方向へ誘導する。
【００１６】
制御装置４は、警報装置等からの警報信号等又は明るさセンサ３からの検知信号を受信する受信部４１と、発光ダイオードユニット２へ所定の調光制御信号を出力する出力部４２と、発光ダイオードユニット２のアドレス番号や点灯パターン等のデータを記憶する記憶部４３と、記憶部４３に記憶されたデータを読み込むと共に、出力部４２に発光ダイオードユニット２へ調光制御信号を出力させる汎用のマイコン等から成る制御部４４と、を備える。
【００１７】
発光ダイオード２０は、点灯制御システム１の設置環境に応じた適宜の発色光を照射可能な汎用の発光ダイオードが用いられる。スイッチング素子２１は、制御装置４からの信号を受信する受信部と、発光ダイオード２０へ調光信号（制御装置４からの調光制御信号とは異なる信号）を出力する出力部と、発光ダイオード２０の点灯パターン等を記憶する記憶部と、これら各構成部を制御する制御部と、を備える。また、明るさセンサ３は、フォトダイオード等から成る汎用の明るさセンサが用いられる。
【００１８】
次に、本実施形態の点灯制御システム１の動作について、上述の図１に加えて図３を参照して説明する。制御装置４の受信部４１が、点灯制御システム１に接続された警報装置等（図示せず）からの警報信号等を受信すると、制御部４４は、所定の点灯パターンで発光ダイオードユニット２を点灯させるよう、出力部４２に調光制御信号を出力させる。各発光ダイオードユニット２には夫々アドレス番号（ここでは、２Ａ，２Ｂ，２Ｃ・・・，２Ｆとする）が設定されており、これらのアドレス番号は制御装置４の記憶部４３に記憶されている。制御部４４は、記憶部４３に記憶されたアドレス番号を読み出し、これらのアドレス番号に対応する発光ダイオードユニット２の夫々を所定の点灯パターンで点灯させるように、出力部４２に調光制御信号を出力させる。
【００１９】
上記の発光ダイオードユニット２の点灯パターンについて、図３を参照して説明する。ここでは、１秒を１周期として５つの発光ダイオードユニット２Ａ〜２Ｅを０．２秒ごとに送り点灯させるパターンを例とする。制御装置４は、発光ダイオードユニット２Ａを、最初の０．２秒間、比較的高い出力で点灯させ（高出力点灯）、次の０．８秒間、高出力点灯より明るさが暗くなるように、低い出力で点灯させ（低出力点灯）、これらの高出力及び低出力による点灯を繰り返し行う。また、制御装置４は、発光ダイオードユニット２Ｂ，２Ｃ，２Ｄ，２Ｅに対して、発光ダイオードユニット２Ａが最初に点灯したときよりも、夫々０．２秒，０．４秒，０．６秒，０．８秒ずつ遅いタイミングで、発光ダイオードユニット２Ａと同様の高出力及び低出力による点灯を繰り返し行う。すなわち、制御装置４は、発光ダイオードユニット２Ａ〜２Ｅを０．２秒ごとに順次、高出力点灯させ（送り点灯）、高出力点灯以外のときに低出力点灯させ、この点灯を１秒毎に繰り返し行う。こうすることで、点灯制御システム１は、低出力点灯により作動時に発光ダイオードユニット２の全てをぼんやり点灯させて、避難しようとする人Ｍに誘導路の概要を知らせると共に、高出力の送り点灯により、明るい光が走行しているように視認させることで、所定の避難方向へ人Ｍを誘導することができる。
【００２０】
また、制御装置４は、明るさセンサ３の検知信号に応じて上記の送り点灯及び低出力点灯の出力を制御する。この制御動作について、図４乃至図６を参照して説明する。なお、図５及び図６において、避難方向は図中左側から右側へ向かうものとし、送り点灯している発光ダイオードユニットを白抜きで、低出力点灯している発光ダイオードユニット２を点パターン又は黒塗りで示している。また、図５及び図６は、発光ダイオードユニット２（２Ａ，２Ｂ・・・，２Ｌ）が直線的に配置された構成を示しているが、本実施形態の点灯制御システム１において、発光ダイオードユニット２の配置や構成等はこれらに限られない。
【００２１】
明るさセンサ３は、誘導路周囲の明るさが明るいときに高出力の検知信号を、暗いときに低出力の検知信号を制御装置４へ送信する。制御装置４は、明るさセンサ３から受信した検知信号が、所定の基準値よりも高いとき（図４の期間（Ｉ））、すなわち誘導路周囲の明るさが明るいときは、例えば、図５（ａ）〜（ｃ）に示されるように、発光ダイオードユニット２（２Ａ，２Ｂ・・・）を時系列に順次、高出力点灯させることにより、送り点灯を行う。また、このとき、制御装置４は、発光ダイオードユニット２の低出力点灯における出力を低くする又は出力を行わない。
【００２２】
また、制御装置４は、明るさセンサ３から受信した検知信号が、所定の基準値よりも低いとき（図４の期間（ＩＩ））、すなわち誘導路周囲の明るさが暗いときは、例えば、図６（ａ）〜（ｃ）に示されるように、発光ダイオードユニット２（２Ａ，２Ｂ・・・）を時系列に順次、高出力点灯させることにより、送り点灯を行う。また、このとき、制御装置４は、発光ダイオードユニット２を低出力点灯させる。なお、上記の基準値は制御装置４の記憶部４３に記憶され、ユーザによって設定される。これにより、本実施形態の点灯制御システム１では、誘導路周囲の明るさが所定の基準値よりも明るいときには、低出力点灯における出力が低くなる又は出力が行われないので、不要な電力消費が抑制される。一方、誘導路周囲の明るさが所定の基準値よりも暗いときに、低出力点灯が行われ、避難する人Ｍに対して、誘導路の概要を知らせて、所定の避難方向を予測できるようにする。
【００２３】
上記の送り点灯は、誘導路周囲の明るさが暗いときは、明るいときよりも低い出力で行われることが望ましい。すなわち、本実施形態の点灯制御システム１では、誘導路周囲の明るさが所定の基準値より明るいときには、より明るい光による送り点灯が行われることで、避難する人Ｍに対して的確に避難方向を視認させる。一方、誘導路周囲の明るさが所定の基準値より暗いときは、避難する人Ｍに対して誘導路の概要を視認させるのに十分な程度の比較的暗い光による送り点灯が行われ、不要な電力消費が抑制される。このように、制御装置４が明るさセンサ３の検知信号に応じて、発光ダイオードユニット２を送り点灯及び低出力点灯させる出力を制御するので、避難する人Ｍに対して的確に避難方向を視認させることができると共に、省エネ化が可能となる。
【００２４】
また、制御装置４が上記の送り点灯の出力と低出力点灯の出力との比を一定としたまま、上記各出力を増減させるようにしてもよい。例えば、図７に示されるように、送り点灯の出力が３０％のときは低出力点灯の出力を１５％とし、送り点灯の出力が５０％に増加すると低出力点灯の出力を２５％とし、送り点灯の出力が更に増加して７０％のときは低出力点灯の出力を１５％とするように、送り点灯の出力と低出力点灯の出力の比を２：１としたまま上記の各出力を増加させる。このようにすれば、例えば、明るさセンサ３から送信された検知信号を基準として、送り点灯の出力を上記検知信号の出力値の２０倍とし、低出力点灯の出力を同じく１０倍とするといった出力設定が可能となり、上記各出力を個別に設定するよりも簡単に出力設定を行うことができる。
【００２５】
次に、本発明の第２の実施形態に係る点灯制御システムについて、図８乃至図１１を参照して説明する。本実施形態の点灯制御システム１は、上記第１の実施形態と同等の構成にあって、制御装置４の制御態様のみが異なる。本実施形態において、制御装置４は、複数の発光ダイオードユニット２のうち、明るさセンサ３によって検知された誘導路周囲の明るさが明るくなるに従って、同時に点灯する発光ダイオードユニット２の個数を増加させる。
【００２６】
制御装置４において、誘導路周囲の明るさが所定の明るさよりも暗いと判断されたとき、例えば、図８の期間（Ｉ）に示されるように、明るさセンサ３の検知信号の出力値が２Ｖ以下であるときは、送り点灯する光の個数を少なくしても、避難する人Ｍに対して避難方向を十分に視認させることができる。従って、このとき、制御装置４は、図９（ａ）〜（ｃ）に示されるように、１つの光が避難方向（図中右方向）に走行しているように見せる。次に、図８の期間（ＩＩ）に示されるように、明るさセンサ３の検知信号の出力値が２Ｖから４Ｖの範囲にあるときは、図１０（ａ）〜（ｃ）に示されるように、制御装置４は、２つの光が走行しているように見せる。
【００２７】
また、制御装置４において、誘導路周囲の明るさが所定の明るさよりも明るいと判断されたとき、例えば、図８の期間（ＩＩＩ）に示されるように、明るさセンサ３の検知信号の出力が４Ｖから５Ｖの範囲にあるときは、送り点灯する光の個数が少ないと、避難する人Ｍに対して避難方向を視認させることができない虞がある。従って、このとき、制御装置４は、同時に点灯する発光ダイオードユニット２の個数を増加させ、例えば、図１１（ａ）〜（ｃ）に示されるように、３つの光が走行しているように見せる。このように、本実施形態の点灯制御システム１は、明るさセンサ３の検知信号に応じて送り点灯する光の個数を増減させることにより、導路周囲の明るさが暗いときは、同時に点灯する発光ダイオードユニット２の個数を減らして省エネ化を可能とし、また、誘導路周囲の明るさが明るいときは、同時に点灯する発光ダイオードユニット２の個数を増やして避難する人Ｍに対して的確に避難方向を視認させることができる。
【００２８】
なお、本発明は、種々の変形が可能であり、明るさセンサの検知信号に基づいて所定の出力で発光ダイオードを点灯させて、効果的かつ効率的に人を所定の避難方向へ誘導するものであれば、上記の構成に限られない。また、本発明の点灯制御システムは、緊急時の避難誘導灯として適用されるだけでなく、例えば、屋内駐車場の車両誘導灯として適用されてもよい。
【図面の簡単な説明】
【００２９】
【図１】本発明の第１の実施形態に係る点灯制御システムの構成を示す斜視図。
【図２】同システムのブロック構成図。
【図３】同システムにおける発光ダイオードユニットの点灯パターンを説明する図。
【図４】同システムにおける誘導路周囲の明るさを検知した明るさセンサから送信される検知信号の出力値の変移の例を示す図。
【図５】（ａ）乃至（ｃ）は同システムにおける誘導路周囲の明るさが基準値よりも明るいときの動作を説明する図。
【図６】（ａ）乃至（ｃ）は同システムにおける誘導路周囲の明るさが基準値よりも暗いときの動作を説明する図。
【図７】同システムにおける送り点灯の出力と低出力点灯の出力との比を示す図。
【図８】本発明の第２の実施形態に係る点灯制御システムにおける誘導路周囲の明るさを検知した明るさセンサから送信される検知信号の出力値の変移の例を示す図。
【図９】（ａ）乃至（ｃ）は同システムにおける明るさセンサの検知信号の出力値が２Ｖ以下であるときの動作説明図。
【図１０】（ａ）乃至（ｃ）は同システムにおける明るさセンサの検知信号の出力値が２Ｖ以上、４V以下下であるときの動作説明図。
【図１１】（ａ）乃至（ｃ）は同システムにおける明るさセンサの検知信号の出力値が４Ｖ以上であるときの動作説明図。
【図１２】従来の避難誘導システムの構成を示す斜視図。
【符号の説明】
【００３０】
１    点灯制御システム
２    発光ダイオードユニット
２０    発光ダイオード
３    明るさセンサ
４    制御装置
【図１】
2008158755.tif 000003
【図２】
2008158755.tif 000004
【図３】
2008158755.tif 000005
【図４】
2008158755.tif 000006
【図５】
2008158755.tif 000007
【図６】
2008158755.tif 000008
【図７】
2008158755.tif 000009
【図８】
2008158755.tif 000010
【図９】
2008158755.tif 000011
【図１０】
2008158755.tif 000012
【図１１】
2008158755.tif 000013
【図１２】
2008158755.tif 000014